【手続補正書】
【提出日】平成16年5月24日(2004.5.24)
【手続補正１】
【補正対象書類名】明細書
【補正対象項目名】発明の名称
【補正方法】変更
【補正の内容】
【発明の名称】画像形成装置、情報処理装置、制御方法及び情報処理方法
【手続補正２】
【補正対象書類名】明細書
【補正対象項目名】特許請求の範囲
【補正方法】変更
【補正の内容】
【特許請求の範囲】
【請求項１】
ネットワーク上の各種の機器と通信可能な画像形成装置であって、
前記ネットワーク上の機器各々に関する機器情報及び前記画像形成装置に関する機器情報の組み合わせによって実現可能な機能に関する情報を記憶する記憶手段と、
前記記憶手段に記憶された情報に基づいて、前記組み合わせによって実現可能な機能をユーザによって指定可能に表示する表示手段と、
を有することを特徴とする画像形成装置。
【請求項２】
前記表示手段は、前記ネットワーク上の各種の機器のうち前記組み合わせによって実現可能な機能に係る機器が稼動中である場合、ユーザが該機能を選択することが不可能であるように表示することを特徴とする請求項１記載の画像形成装置。
【請求項３】
前記表示手段は、前記ネットワーク上の各種の機器のうち前記組み合わせによって実現可能な機能に係る機器がエラー状態である場合、ユーザが該機能を選択することが不可能であるように表示することを特徴とする請求項１記載の画像形成装置。
【請求項４】
前記エラー状態は、前記組み合わせによって実現可能な機能に係る機器における用紙無し、用紙ジャム、故障の少なくとも１つを含むことを特徴とする請求項３記載の画像形成装置。
【請求項５】
画像データの入力を行う画像入力機器及び画像データの出力を行う画像出力機器とネットワークを介して通信可能な情報処理装置であって、
前記画像入力機器の機器情報及び前記画像出力機器の機器情報を取得する取得手段と、
前記画像入力機器の機器情報と前記画像出力機器の機器情報の組み合わせから成る機能を示す情報を生成する生成手段と、
前記生成手段によって生成された情報を前記画像入力機器及び前記画像出力機器に送信する送信手段と、
を有することを特徴とする情報処理装置。
【請求項６】
前記取得手段は、前記情報処理装置が起動されるのに応じて前記機器情報を取得することを特徴とする請求項５記載の情報処理装置。
【請求項７】
前記画像入力機器または前記画像出力機器から前記生成手段で生成された情報の要求を受信する受信手段を更に有し、
前記送信手段は、前記要求に応じて前記生成手段で生成された情報を送信することを特徴とする請求項５または６に記載の情報処理装置。
【請求項８】
ネットワーク上の各種の機器と通信可能な画像形成装置における制御方法であって、
前記ネットワーク上の機器各々に関する機器情報及び前記画像形成装置に関する機器情報の組み合わせによって実現可能な機能に関する情報を記憶手段に記憶させる記憶工程と、
前記記憶工程によって前記記憶手段に記憶された情報に基づいて、前記組み合わせによって実現可能な機能をユーザによって指定可能に表示手段に表示する表示工程と、
を有することを特徴とする制御方法。
【請求項９】
画像データの入力を行う画像入力機器及び画像データの出力を行う画像出力機器とネットワークを介して通信可能な情報処理装置における情報処理方法であって、
前記画像入力機器の機器情報及び前記画像出力機器の機器情報を取得する取得工程と、
前記画像入力機器の機器情報と前記画像出力機器の機器情報の組み合わせから成る機能を示す情報を生成する生成工程と、
前記生成工程によって生成された情報を前記画像入力機器及び前記画像出力機器に送信する送信工程と、
を有することを特徴とする情報処理方法。
【手続補正３】
【補正対象書類名】明細書
【補正対象項目名】０００１
【補正方法】変更
【補正の内容】
【０００１】
【発明の属する技術分野】
本発明は、ネットワークに接続され、該ネットワークを介して画像データの入出力を行う画像形成装置、情報処理装置、制御方法及び情報処理方法に関する。
【手続補正４】
【補正対象書類名】明細書
【補正対象項目名】０００６
【補正方法】変更
【補正の内容】
【０００６】
本発明は、上記問題点を解決するためになされたもので、ネットワーク上で実行可能な機能を容易に把握することができるとともに、所望する機能を容易に設定できる画像形成装置、情報処理装置、制御方法及び情報処理方法を提供することを目的とする。
【手続補正５】
【補正対象書類名】明細書
【補正対象項目名】０００７
【補正方法】変更
【補正の内容】
【０００７】
【問題を解決するための手段】
上記目的を達成するために、請求項１の画像形成装置は、ネットワーク上の各種の機器と通信可能な画像形成装置であって、前記ネットワーク上の機器各々に関する機器情報及び前記画像形成装置に関する機器情報の組み合わせによって実現可能な機能に関する情報を記憶する記憶手段と、前記記憶手段に記憶された情報に基づいて、前記組み合わせによって実現可能な機能をユーザによって指定可能に表示する表示手段と、を有することを特徴とする。
【手続補正６】
【補正対象書類名】明細書
【補正対象項目名】０００８
【補正方法】変更
【補正の内容】
【０００８】
請求項２の画像形成装置は、上記請求項１記載の画像形成装置において、前記表示手段は、前記ネットワーク上の各種の機器のうち前記組み合わせによって実現可能な機能に係る機器が稼動中である場合、ユーザが該機能を選択することが不可能であるように表示することを特徴とする。
【手続補正７】
【補正対象書類名】明細書
【補正対象項目名】０００９
【補正方法】変更
【補正の内容】
【０００９】
請求項３の画像形成装置は、上記請求項１記載の画像形成装置において、前記表示手段は、前記ネットワーク上の各種の機器のうち前記組み合わせによって実現可能な機能に係る機器がエラー状態である場合、ユーザが該機能を選択することが不可能であるように表示することを特徴とする。
【手続補正８】
【補正対象書類名】明細書
【補正対象項目名】００１０
【補正方法】変更
【補正の内容】
【００１０】
請求項４の画像形成装置は、上記請求項３記載の画像形成装置において、前記エラー状態は、前記組み合わせによって実現可能な機能に係る機器における用紙無し、用紙ジャム、故障の少なくとも１つを含むことを特徴とする。
【手続補正９】
【補正対象書類名】明細書
【補正対象項目名】００１１
【補正方法】変更
【補正の内容】
【００１１】
請求項５の情報処理装置は、画像データの入力を行う画像入力機器及び画像データの出力を行う画像出力機器とネットワークを介して通信可能な情報処理装置であって、前記画像入力機器の機器情報及び前記画像出力機器の機器情報を取得する取得手段と、前記画像入力機器の機器情報と前記画像出力機器の機器情報の組み合わせから成る機能を示す情報を生成する生成手段と、前記生成手段によって生成された情報を前記画像入力機器及び前記画像出力機器に送信する送信手段と、を有することを特徴とする。
【手続補正１０】
【補正対象書類名】明細書
【補正対象項目名】００１２
【補正方法】変更
【補正の内容】
【００１２】
請求項６の情報処理装置は、上記請求項５記載の情報処理装置において、前記取得手段は、前記情報処理装置が起動されるのに応じて前記機器情報を取得することを特徴とする。
【手続補正１１】
【補正対象書類名】明細書
【補正対象項目名】００１３
【補正方法】変更
【補正の内容】
【００１３】
請求項７の情報処理装置は、上記請求項５または６に記載の情報処理装置において、前記画像入力機器または前記画像出力機器から前記生成手段で生成された情報の要求を受信する受信手段を更に有し、前記送信手段は、前記要求に応じて前記生成手段で生成された情報を送信することを特徴とする。
【手続補正１２】
【補正対象書類名】明細書
【補正対象項目名】００１４
【補正方法】変更
【補正の内容】
【００１４】
請求項８の制御方法は、ネットワーク上の各種の機器と通信可能な画像形成装置における制御方法であって、前記ネットワーク上の機器各々に関する機器情報及び前記画像形成装置に関する機器情報の組み合わせによって実現可能な機能に関する情報を記憶手段に記憶させる記憶工程と、前記記憶工程によって前記記憶手段に記憶された情報に基づいて、前記組み合わせによって実現可能な機能をユーザによって指定可能に表示手段に表示する表示工程と、を有することを特徴とする。
【手続補正１３】
【補正対象書類名】明細書
【補正対象項目名】００１５
【補正方法】変更
【補正の内容】
【００１５】
請求項９の情報処理方法は、画像データの入力を行う画像入力機器及び画像データの出力を行う画像出力機器とネットワークを介して通信可能な情報処理装置における情報処理方法であって、前記画像入力機器の機器情報及び前記画像出力機器の機器情報を取得する取得工程と、前記画像入力機器の機器情報と前記画像出力機器の機器情報の組み合わせから成る機能を示す情報を生成する生成工程と、前記生成工程によって生成された情報を前記画像入力機器及び前記画像出力機器に送信する送信工程と、を有することを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００９８
【補正方法】変更
【補正の内容】
【００９８】
【発明の効果】
以上説明したように、請求項１の画像形成装置及び請求項８の制御方法によれば、ネットワーク上の機器各々に関する機器情報及び前記画像形成装置に関する機器情報の組み合わせによって実現可能な機能に関する情報に基づいて、前記組み合わせによって実現可能な機能をユーザによって指定可能に表示するので、ネットワーク上で実行可能な機能を容易に把握することができるとともに、所望する機能を容易に設定できるという効果が得られる。
【手続補正２０】
【補正対象書類名】明細書
【補正対象項目名】００９９
【補正方法】変更
【補正の内容】
【００９９】
請求項２の画像形成装置によれば、ネットワーク上の各種の機器のうち前記組み合わせによって実現可能な機能に係る機器が稼動中である場合、ユーザが該機能を選択することが不可能であるように表示するので、例えばユーザから離れた位置にあってその出力装置が使用可能であるか否かをユーザが知ることができない場合に、その機器を使用しなければならない機能を誤って選択してしまうという不具合を回避することができるという効果が得られる。
【手続補正２１】
【補正対象書類名】明細書
【補正対象項目名】０１００
【補正方法】変更
【補正の内容】
【０１００】
請求項３の画像形成装置によれば、ネットワーク上の各種の機器のうち前記組み合わせによって実現可能な機能に係る機器がエラー状態である場合、ユーザが該機能を選択することが不可能であるように表示するので、その出力装置にエラーが発生していて使用可能であるか否かをユーザが知ることができない場合に、その機器を使用しなければならない機能を誤って選択してしまうという不具合を回避することができるという効果が得られる。
【手続補正２２】
【補正対象書類名】明細書
【補正対象項目名】０１０１
【補正方法】変更
【補正の内容】
【０１０１】
請求項５の情報処理装置及び請求項９の情報処理方法によれば、画像入力機器の機器情報と画像出力機器の機器情報の組み合わせから成る機能を示す情報を画像入力機器及び画像出力機器に送信するので、ネットワーク上で実行可能な機能を容易に把握することができるとともに、所望の機能を容易に設定できるという効果が得られる。
【手続補正２３】
【補正対象書類名】明細書
【補正対象項目名】０１０２
【補正方法】削除
【補正の内容】